【事件の表示】
　特許第２６６８０６８号「投入メダル検出装置」の特許に対する特許異議の申立てについて、次のとおり決定する。
【結論】
　特許第２６６８０６８号の特許を取り消す。
【理由】
（１）手続きの経緯
　本件特許２６６８０６８号の発明は、平成３年２月４日に特許出願され、平成９年７月４日に設定登録がなされ、その後、大谷純一、森下辰夫より特許異議の申立がなされ、取消理由通知がなされ、その指定期間内である平成１０年１１月１０日に訂正請求がなされ、訂正拒絶理由通知がなされたものである。
（２）訂正の適否についての判断
　（ｉ）訂正の内容
　本件訂正請求は、特許第２６６８０６８号の手願書に添付された明細書（以下「特許明細書」という。）を本件訂正請求書に添付した訂正明細書のとおり訂正することを求めたものであって、その要旨は、
Ａ．特許請求の範囲の「メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、
　制御部は、まずメダル投入口に近い位置にあるメダルセンサーのみが検知し、ついでメダル投入口から遠い位置にあるメダルセンサーが検知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成したことを特徴とした投入メダル検出装置。」とあるのを、特許請求の範囲の減縮を目的として、「メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、
　制御部は、まずメダル投入口に近い位置にあるメダルセンサーのみが検知し、ついでメダル投入口から遠い位置にあるメダルセンサーが検知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成し、
　前記所定時間は、前記各時間に共通して予め設定された最短時間を超え、かつ前記各時間毎、にそれぞれ予め設定された固有の最長時間未満であることを特徴とした投入メダル検出装置。」と訂正し、
　さらに、上記Ａの訂正に伴う明細書の明瞭でない記載の釈明を目的として、
Ｂ．明細書第３頁第２９行〜第４頁第２１行目（特許公報第２頁第４欄第２２〜４７行）の「【００１０】
　【課題を解決するための手段】
　本発明は、上記した課題を解決するためのものである。
　即ち、請求項１に記載した発明は、
　メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、
　制御部は、まずメダル投入口に近い位置にあるメダルセンサーのみが検知し、ついでメダル投入口から遠い位置にあるメダルセンサーが検知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成したことを特徴とする。」を、「【００１０】
　【課題を解決するための手段】
　本発明は、上記した課題を解決するためのものである。
　即ち、請求項１に記載した発明は、
　メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、
　制御部は、まずメダル投入口に近い位置にあるメダルセンサーのみが検知し、ついでメダル投入口から遠い位置にあるメダルセンサーが検知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成したことを特徴とする。
　これに加えて、前記所定時間は、前記各時間に共通して予め設定された最短時間を超え、かつ前記各時間毎にそれぞれ予め設定された固有の最長時間未満であることを特徴とする。」と訂正することを求めるものである。
（ｉｉ）訂正の目的の適否及び拡張・変更の存否
　訂正事項Ａは、特許明細書の特許請求の範囲に記載された発明における、「所定時間」を限定したものであり、限定された事項は、特許明細書第８頁第３〜７行目（特許公報第４頁第７欄第５〜１１行）に記載された事項を根拠とするものであり、特許請求の範囲を減縮するものと認められる。そして、当該訂正は、願書に最初に添付した明細書に記載した事項の範囲内にあるものと認められる。また、この訂正により、実質上特許請求の範囲を拡張し、又は変更するものでもない。
（ｉｉｉ）独立特許要件の判断
（ア）訂正された本件特許に係る発明
　本件特許の請求項１に係る発明（以下、それぞれ「本件訂正発明」という。）は、訂正された特許請求の範囲に記載される以下のとおりのものである。
　「メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、
　制御部は、まずメダル投入口に近い位置にあるメダルセンサーのみが検知し、ついでメダル投入口から遠い位置にあるメダルセンサーが検知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成し、
　前記所定時間は、前記各時間に共通して予め設定された最短時間を超え、かつ前記各時間毎にそれぞれ予め設定された固有の最長時間未満であることを特徴とした投入メダル検出装置。」
（イ）引用例
　当審訂正拒絶理由通知で引用した刊行物１（実願昭６３−１３６０６９号（実願平２−５８８７４号）のマイクロフィルム；以下「引用例１」という。）には、「この考案は、各種自動販売機やスロットマシンなどの遊技機械において、硬貨や遊技用コインの投入を検知するのに用いられるコイン投入検知装置に関する。」（第１頁第１６〜１９行）、「一般にスロットマシンは、機械の正面適所に遊技用コインを投入するためのコイン投入口が設けてあり、機械の内部にはこのコイン投入口に連通するコイン通過路２を形成して、投入コインの取込みや返却などを行っている。
　図示例のコイン通過路２は、下流側を低く傾斜させてあり、その通路高さをコイン３の直径より若干大きく設定してある。このコイン通過路２沿いにはコイン振分部５やセンサ部４が配備してある。コイン振分部５は制御指令に基づき作動してコイン３をコイン返却路６へ導くためのものである。
　センサ部４は、第２図に示す如く、フォトマイクロセンサより成る２個のセンサ１ａ、１ｂをコイン通過路２沿いに所定の間隔Ｄだけ離して配置したものである。」（第６頁第１１行〜第７頁第６行、第１、２図）、「マイクロコンピュータ８は、これら各センサ１ａ、１ｂからのコイン検知信号に基づきコイン投入口に対するコイン投入動作が正常に行われたか否かを判断すると共に、コインの投入枚数を計数するなど、ゲームの実行に必要な各種演算や処理を実行する。
　第４図は、正常なコイン投入動作が行われたときの各センサ１ａ、１ｂのコイン検知動作を示すもので、そのコイン３がコイン通過路２を通過するとき、第４図（１）に示すオフ状態から第１センサ１ａがオン（第４図（２））、第２センサ１ｂがオン（第４図（３））、第１センサ１ａがオフ（第４図（４））、第２センサ１ｂがオフ（第４図（５））の各状態へ順次移行する。・・・
　第５図は、糸を用いた不正なコイン投入動作が行われたときの各センサ１ａ、１ｂのコイン検知動作を示すもので、そのコイン３がコイン通過路２を通過するとき、第５図（１）に示すオフ状態から、第１センサ１ａがオン（第５図（２））、第２センサ１ｂがオン（第５図（３））の各状態へ順次移行した後、糸でコイン３を引き戻すから、先ず第２センサ１ｂがオフ（第５図（４））、ついで第１センサ１ａがオフ（第５図（５））の各状態へ順次移行する。従って正常なコイン投入動作と不正なコイン投入動作とは、各センサ１ａ、１ｂの作動パターンが相違し、この作動パターンを手掛かりにコイン投入動作の正否を判別できる。」（第７頁第１７行〜第９頁第６行、第２、４、５図）、「このタイマはコイン３が第１センサ１ａを横切るのに要する時間を検出するためのもので、もし所定の時間以上かかれば、このコイン投入動作に不正があるとみなされる。」（第１１頁第９〜１３行、第７図）と記載されている。
　同じく引用した刊行物２（特開昭５９−１８６０８０号公報；以下「引用例２」という。）には、「１．コイン挿入口から挿入されたコインがコイン受入器に受入れられたことを検知すると共に、前記コインの受入れ動作があらかじめ設定された許容範囲内でなされるときは遊戯機、自動販売機等のコイン挿入式作動装置にあらかじめ設定された正常時動作をさせ、別記コインの受入れ動作が前記許容範囲内でなされないときは前記コイン挿入式作動装置にあらかじめ設定された非正常時動作をさせるコイン挿入装置において、
　前記コイン挿入口およびコイン受入器に連通しかつ前記コインの移動方向に該コインの直径以下の間隔をあけて光が前記コインの移動方向と直角方向に通過しうる２組のスリットを設けたコイン誘導部材と、前記２組のスリットのそれぞれを通過する光を発する光源と、前記２組のスリットを通過する光をそれぞれ検知する２個のフォトセンサと、前記コインが前記コイン挿入口側のスリットに到達する前に前記コイン受入器側のスリットに到達したことを前記２個のフォトセンサの出力にもとづいて検知し逆移動信号を発する装置と、前記コインが前記コイン挿入口側のスリットを通過するのに要する時間をこのスリットに設けた前記フォトセンサの出力にもとづいて測定する第１の測時器と、前記コインが前記コイン受入器側のスリットを通過するのに要する時間をこのスリットに設けた前記フォトセンサの出力にもとづいて測定する第２の測時器と、前記コインが前記コイン挿入口側のスリットを通過し始めてから前記コイン受入器側のスリットを通過し終るまでの時間を前記２個のフォトセンサの出力にもとづいて測定する第３の測時器と、前記第１、第２および第３の測時器にもとづいて測定された時間のいずれかがそれぞれについてあらかじめ設定された許容時間範囲を越えるときはタイムアウト信号を発する回路とを備え、前記逆移動信号もしくはタイムアウト信号が発せられるときは前記コイン挿入式作動装置にそれぞれあらかじめ定められた非正常時動作をさせることを特徴とするコイン挿入装置。」（特許請求の範囲）が記載されており、また第４頁左下欄第５行〜第６頁左上欄第１６行及び第２、３図には、上記コイン挿入装置の具体的コイン検知機構とその作用効果が開示されている。
（ウ）対比・判断
　そこで、本件訂正発明と、引用例１に記載される発明（以下「引用発明」という）とを比較すると、引用発明における「スロットマシンなどの遊技機械」、「遊技用コイン」、「コイン通過路２」、「フォトマイクロセンサより成る２個のセンサ１ａ、１ｂ」、「マイクロコンピユータ」、「コイン投入検知装置」が、本件発明における「メダルゲーム機」、「投入メダル」、「メダル通路」、「２つのメダルセンサー」、「制御部」、「投入メダル検出装置」に相当することは明白であるから、両者は、「メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、制御部は、先ずメダル投入口に近い位置にあるメダルセンサーのみが検知し、ついでメダル投入口から遠い位置にあるメダルセンサが検知し、次にメダル投入口から近い位置にあるメダルセンサーのみが検知が終了し、最後にメダル投入口から遠い位置にあるメダルセンサーが検知を終了する、という順序で各メダルセンサーが検知することを確認し、メダル投入口から近い位置にあるメダルセンサーのみが検知している時間が所定時間内であることを確認した場合に、メダルゲーム機へのメダル投入を認識するように形成した投入メダル検出装置」である点で一致し、（１）本件訂正発明が、メダル投入口から近い位置にあるメダルセンサーのみが検知している時間のみならず、メダル投入口から近い位置にあるメダルセンサー及びメダル投入口から遠い位置にあるメダルセンサーが検知している時間及びメダル投入口から遠い位置にあるメダルセンサーのみが検知している時間のいずれもが所定時間内であることを確認した場合に、メダルゲーム機へのメダル投入を認識するようにしているのに対して、引用発明は、メダル投入口から近い位置にあるメダルセンサーのみが検知している時間が所定時間内であることを確認した場合に、メダル器へのメダル投入を認識するようにしている点、（２）所定時間に関し、本件訂正発明が、前記所定時間は、前記各時間に共通して予め設定された最短時間を超え、前記各時間に共通して予め設定された固有の最長時間未満であるのに対して、引用発明は、この構成に関し明記されていない点で相違するものと認められる。
　上記相違点について検討する。相違点（１）については、引用例２に、遊戯機等のコイン挿入式作動装置（本件訂正発明における「投入メダル装置」に相当する。以下同様）において、投入されるコイン（「メダル」）の直径以下の間隔をあけて２個のフォトセンサ（「２つのセンサー」）を設けると共に、前記コインが前記コイン挿入口側のスリットを通過するのに要する時間（「メダル投入口から近い位置にあるメダルセンサーのみが検知している時間」）をこのスリットに設けた前記フォトセンサの出力にもとづいて測定する第１の測時器と、前記コインが前記コイン受入器側のスリットを通過するのに要する時間（「メダル投入口から遠い位置にあるメダルセンサーのみが検知している時間」）をこのスリットに設けた前記フォトセンサの出力にもとづいて測定する第２の測時器と、前記コインが前記コイン挿入口側のスリットを通過し始めてから前記コイン受入器側のスリットを通過し終るまでの時間を前記２個のフォトセンサの出力にもとづいて測定する第３の測時器と、前記第１、第２および第３の測時器にもとづいて測定された時間のいずれかがそれぞれについてあらかじめ設定された許容時間範囲を越えるときはタイムアウト信号を発する回路とを備えたコイン挿入式作動装置が開示されている。ところで、上記引用例２における「前記コインが前記コイン挿入口側のスリットを通過し始めてから前記コイン受入器側のスリットを通過し終るまでの時間」とは、本件訂正発明において、「メダル投入口から近い位置にあるメダルセンサーのみが検知している時間と、メダル投入口から近い位置にあるメダルセンサー及びメダル投入口から遠い位置にあるメダルセンサーが検知している時間とメダル投入口から遠い位置にあるメダルセンサーのみが検知している時間とを加えた時間」に一致するものであり、このうち、「メダル投入口から近い位置にあるメダルセンサーのみが検知している時間」と「メダル投入口から遠い位置にあるメダルセンサのみが検知している時間」は、それぞれ第１の測時器と第２の測時器が測定しているのであるから、上記引用例２における「前記コインが前記コイン挿入口側のスリットを通過し始めてから前記コイン受入器側のスリットを通過し終るまでの時間」を測定することは、実質的に本件訂正発明における「メダル投入口から近い位置にあるメダルセンサー及びメダル投入口から遠い位置にあるメダルセンサーが検知している時間」を測定していることに他ならない。また、上記引用例２における「第１、第２および第３の測時器にもとづいて測定された時間のいずれかがそれぞれについてあらかじめ設定された許容時間範囲を越えるときはタイムアウト信号を発する」ことは、言い換えれば、上記測定された時間がいずれも所定時間内であればメダルゲーム機へのメダル投入を認識することに相当することは明白である。してみれば、引用発明のメダル投入口から近い位置にあるメダルセンサのみが検知している時間に加えて、引用例２に記載される技術を採用して、本件訂正発明のように構成することは、当業者であれば容易に想到し得るものと認められる。相違点（２）については、所定時間に関し、各時間毎に予め設定された固有の最長時間未満であることは、上記相違点（１）においても述べたように引用例２に開示されており、これを引用発明に採用して、本件訂正発明のように構成することは、当業者にとって格別困難性あるものとは認められない。次に、各時間に共通して予め設定された最短時間を超えていることに関して、訂正請求人である特許権者は平成１１年７月１９日付け意見書によれば、本件発明のように構成することにより、メダルセンサーのケーブル等へのノイズの侵入によるセンサーの誤動作を防止する作用効果を奏するものであると主張している。そうであるとすれば、一般にセンサーにおいて、ノイズによる誤動作を防止するために時間幅の短い信号を除去するためにローパスフィルタを設けること（本件発明における最短時間を設定することに相当する）は、本件出願前周知の技術であり（例えば、実願平１−４１２９５号（実開閉２−１３３７９２号）のマイクロフィルム等参照）、本件訂正発明のように最短時間を設定することは、その作用効果から見ても当業者であれば、必要に応じて適宜なしうる程度の設計変更であると認められる。また、ノイズによる誤動作防止であることを勘案すれば、上記最短時間を共通のものとすることも当業者であれば、普通に採用し得る単なる設計変更と認められる。そして本件訂正発明の奏する作用効果も、引用発明、引用例２及び周知技術に開示されるものの和を超えるものではない。
　よって、本件訂正発明は、上記引用例１、２に記載される発明及び上記周知技術に基づいて、当業者が容易に発明をすることができたものと認められる。
（ｉｖ）まとめ
　以上の通りであるから、本件訂正は、特許法第１２０条の４第３項で準用する同法第１２６条第４項の規定に違反するので、当該訂正請求は認められない。
（３）特許異議の申立についての判断
　（ｉ）本件発明
　本件請求項１に係る発明（以下「本件発明」という。）は、特許明細書及び図面の記載からみて、特許請求の範囲の請求項１に記載された次の事項によって特定されるとおりのものである。
「メダルゲーム機内に備えられる投入メダル検出装置であって、メダルゲーム機のメダル投入口から投入されるメダルをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、
　各メダルセンサーは、メダル通路内にメダルを検知するための検知部間距離を、当該メダルゲーム機に使用される適正なメダルの直径よりも小さくなるように配置され、
　制御部は、まずメダル投入口に近い位置にあるメダルセンサーのみが検知し、ついでメダル投入口から遠い位置にあるメダルセンサーが検知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成したことを特徴とした投入メダル検出装置。」
（ｉｉ）引用例
　当審が通知した取消理由に引用した刊行物１（実願昭６３−１３６０６９号（実開平２−５８８７４号）のマイクロフィルム）及び同刊行物２（特開昭５９−１８６０８０号公報）に記載される内容は、上記（２）（ｉｉｉ）（イ）に述べた訂正拒絶理由通知で引用した刊行物１、２と同じものであるので省略する。
（ｉｉｉ）対比・判断
　本件発明は、実質的に、上記（２）（ｉｉｉ）（ア）において認定した本件訂正発明における所定時間に関する「前記所定時間は、前記各時間に共通して予め設定された最短時間を超え、かつ前記各時間毎にそれぞれ予め設定された固有の最長時間未満であること」という限定がなされていない発明であると認められる。してみると本件発明と上記刊行物１に記載された発明とを対比すると、両者は、上記（２）（ｉｉｉ）（ウ）で指摘した相違点（１）の点でのみ相違し、その余の構成は一致するものと認められる。そして上記相違点（１）については、上記（２）（ｉｉｉ）（ウ）で述べたと同様の理由により、刊行物２に開示される技術を刊行物１に記載される発明に採用して、当業者が容易に発明をすることができたものと認められる。
（ｉｖ）むすび
　以上のとおりであるから、本件発明は、上記刊行物１、２に記載された発明に基づいて当業者が容易に発明をすることができたものであるから、請求項１に係る特許は特許法第２９条第２項の規定に違反してされたものである。すなわち、本件発明の特許は拒絶の査定をしなければならない特許出願に対してされたものと認める。
　したがって、本件請求項１に係る特許は、平成６年法律第１１６号附則第１４条の規定に基づく、平成７年政令第２０５号第４条第１項及び第２項の規定により、取り消すべきものである。
　よって、結論のとおり決定する。
【異議決定日】
平成１１年９月２４日（１９９９．９．２４）